(57)【要約】【課題】  画像データと画像データ以外の医用情報をＤＩＣＯＭネットワークを介して医用情報ビューアに供給して表示する。【解決手段】  画像診断装置５０のＤＩＣＯＭファイル生成部７は、画像演算記憶部３に一旦保存された被検体２０の画像データと、計測データ記憶部４に保存された前記被検体の生体情報計測データと、表示用アプリケーション記憶部６の表示ソフトウエアと、付帯情報記憶部５に保存された前記被検体に関する付帯情報を組み込んだＤＩＣＯＭファイルを生成し、ネットワーク４０を介して医用情報ビューア３０に供給する。一方、医用情報ビューア３０は、供給されたＤＩＣＯＭファイルの表示ソフトウエアによって設定される表示フォーマットに基づいて前記画像データ及び前記生体情報計測データを表示部３２に表示する。【選択図】  図１
2005081083.tif 000002
【特許請求の範囲】
【請求項１】
ＤＩＣＯＭ規格でネットワークを介して医用情報ビューアと通信を行なう画像診断装置であって、
被検体に対して医用画像データを生成する画像データ生成手段と、
前記被検体に対して得られた医用画像データ以外の医用情報を収集する医用情報収集手段と、
前記医用画像データ及び前記医用情報を表示するための表示用ソフトウエアを保存する表示ソフトウエア記憶手段と、
前記医用画像データと前記医用情報と前記表示用ソフトウエアを組み込んだＤＩＣＯＭファイルを生成するＤＩＣＯＭファイル生成手段と、
生成された前記ＤＩＣＯＭファイルを、ネットワークを介して前記医用情報ビューアに供給するＤＩＣＯＭファイル供給手段を
備えたことを特徴とする画像診断装置。
【請求項２】
前記画像データ生成手段は、Ｘ線画像データ、ＭＲＩ画像データ、ＣＴ画像データ、超音波画像データ、内視鏡画像データの少なくとも何れかの画像データを生成することを特徴とする請求項１記載の画像診断装置。
【請求項３】
前記医用情報は、生体情報計測データであることを特徴とする請求項１記載の画像診断装置。
【請求項４】
前記被検体に関する付帯情報を収集する付帯情報収集手段を備え、前記ＤＩＣＯＭファイル生成手段は、前記医用画像データと前記医用情報と前記表示用ソフトウエアの他に前記付帯情報を組み込んだＤＩＣＯＭファイルを生成することを特徴とする請求項１記載の画像診断装置。
【請求項５】
ＤＩＣＯＭ規格でネットワークを介して医用情報ビューアと通信を行なう医用情報サーバであって、
被検体の医用画像データを保管する画像データ保管手段と、
前記被検体に対して得られた画像データ以外の医用情報を収集する医用情報収集手段と、
前記医用画像データ及び前記医用情報を表示するための表示用ソフトウエアを保存する表示ソフトウエア記憶手段と、
前記医用画像データと前記医用情報と前記表示用ソフトウエアを組み込んだＤＩＣＯＭファイルを生成するＤＩＣＯＭファイル生成手段と、
生成された前記ＤＩＣＯＭファイルを、ネットワークを介して前記医用情報ビューアに供給するＤＩＣＯＭファイル供給手段を
備えたことを特徴とする医用情報サーバ。
【請求項６】
前記被検体に対して医用画像データを生成する画像データ生成手段を備え、
前記画像データ保管手段は、前記画像データ生成手段が生成した前記医用画像データの保管を行なうことを特徴とする請求項５記載の医用情報サーバ。
【請求項７】
ＤＩＣＯＭ規格でネットワークを介して医用情報サーバと通信を行なう医用情報ビューアであって、
被検体に対して得られた医用画像データと医用画像データ以外の医用情報と前記医用画像データ及び前記医用情報を表示するための表示ソフトウエアが組み込まれたＤＩＣＯＭファイルを前記医用情報サーバから受信する受信手段と、
前記ＤＩＣＯＭファイルに対して前記医用情報又は前記表示ソフトウエアの少なくとも何れかの有無を検索する医用情報検索手段と、
前記医用情報又は前記表示ソフトウエアの少なくとも何れかの存在が確認された場合には、前記表示ソフトウエアに基づいて前記医用画像データ及び前記医用情報の表示を行なう表示手段を
備えたことを特徴とする医用情報ビューア。
【請求項８】
前記医用情報検索手段は、前記ＤＩＣＯＭファイルにおけるＴＡＧ情報に基づいて前記医用情報や前記表示ソフトウエアの有無を検索することを特徴とする請求項７記載の医用情報ビューア。
【請求項９】
ＤＩＣＯＭ規格でネットワークを介して医用情報ビューアに医用画像データと医用画像データ以外の医用情報を供給する医用情報供給方法であって、
被検体に対する医用画像データ及び医用画像データ以外の医用情報を収集するステップと、
前記医用画像データ及び前記医用情報と、これらのデータを表示するための表示用ソフトウエアを組み込んだＤＩＣＯＭファイルを生成するステップと、
生成された前記ＤＩＣＯＭファイルを、ネットワークを介して前記医用情報ビューアに供給するステップを
有することを特徴とする医用情報供給方法。
【請求項１０】
ＤＩＣＯＭ規格でネットワークを介して医用情報ビューアに医用画像データと医用画像データ以外の医用情報を供給する医用情報供給方法であって、
被検体に対する画像データ及び画像データ以外の医用情報を収集するステップと、
前記医用画像データ及び前記医用情報と、これらのデータを表示するための表示用ソフトウエアを組み込んだＤＩＣＯＭファイルを生成するステップと、
生成された前記ＤＩＣＯＭファイルを、ネットワークを介して前記医用情報ビューアに供給するステップと、
供給された前記ＤＩＣＯＭファイルに対して前記医用情報又は前記表示用ソフトウエアの少なくとも何れかの有無を検索するステップと、
前記医用情報又は前記表示用ソフトウエアの少なくとも何れかの存在が確認された場合には、前記表示ソフトウエアに基づいて前記医用画像データ及び前記医用情報の表示を行なうステップを
有することを特徴とする医用情報供給方法。
【発明の詳細な説明】
【技術分野】
【０００１】
本発明は、画像診断装置によって得られた画像データを、ＤＩＣＯＭ規格を用いて供給する画像診断装置、医用情報サーバ、医用情報ビューア及び医用情報供給方法に関する。
【背景技術】
【０００２】
近年、診断対象患者（以下、被検体と呼ぶ。）から得られた医用情報を供給する医用情報サーバと、ネットワークを介して医用情報サーバと接続された医用情報ビューアとから構成される医用情報システムが広く用いられている。
【０００３】
この医用情報には、Ｘ線ＣＴ装置、ＭＲＩ装置、Ｘ線診断装置、更には超音波診断装置などの画像診断装置によって得られた画像データや、心電計あるいは脳波計などの生体情報計測装置によって得られた生体情報計測データ、更には、これらのデータに対する所見レポートなどが含まれている。
【０００４】
このような医用情報システムでは、医師は、被検体から得られた画像データや生体情報計測データなどの各種医用情報が必要になった時点で、自己の医用情報ビューアより医用情報サーバに対して所望の医用情報の提供を要求する方法が一般に行なわれている。又、画像診断装置や生体情報計測装置を用いて被検体に対する新たな医用情報が収集された場合には、医用情報サーバは、得られた医用情報を当該被検体の担当医が保有する医用情報ビューアに供給し、医用情報ビューア内の記憶回路に事前に保管しておく方法もある。
【０００５】
一方、上記の医用情報を、医用情報サーバからネットワークを介して医用情報ビューアに供給する場合、膨大なデータ量を有する画像データと共に、この画像データに対する付帯情報（例えば、患者情報、検査情報、撮影条件など）の転送が行われる。
【０００６】
ところで、画像診断装置や医用情報サーバ、更には医用情報ビューアのデータフォーマット、即ち、データ供給フォーマットや表示フォーマットは、従来、これらの装置を製造するメーカによって異なっていたため、専用の医用情報サーバと医用情報ビューアを用意する必要があった。しかしながら、近年では、異なるメーカが製造した画像診断装置や医用情報サーバ、更には医用情報ビューアの相互接続を可能とする、医用画像データ専用の通信用プロトコルの標準化が行なわれ、例えば、ＤＩＣＯＭ（Digital Imaging and Communications in Medicine）規格が制定された。このＤＩＣＯＭ規格では、画像情報や患者情報などの医用情報の内容やデータ構造、医用情報を通信する際の手順、即ち、画像の保存、取り出し、印刷、問い合せなどのサービスを要求する手順やインターフェイスなどが細かく定められており、今日の医用画像分野において国際的な標準となりつつある（例えば、特許文献１参照。）。
【０００７】
このＤＩＣＯＭ規格に基づいた画像データの供給方法を適用した場合、例え異なったメーカによって製造された画像診断装置の画像データであっても、共通の画像表示用ソフトウエアによって形成された所定のフォーマットに基づいて表示することが可能となる（例えば、特許文献１。）。
【特許文献１】特開２０００−２８７０１３号公報（第３頁、第１図）
【発明の開示】
【発明が解決しようとする課題】
【０００８】
従来のＤＩＣＯＭ規格に基づいた医用情報は、如何なる医用情報ビューアにおいても共通に表示することが出来るが、この規格によって転送できる医用情報は画像データ（所謂、ＤＩＣＯＭファイル）に限られていた。即ち、ＥＣＧ波形（心電波形）や脳波など、画像データ以外の医用情報をＤＩＣＯＭ規格のネットワークを介して独立に送信することは不可能であり、これらの医用情報を医用情報ビューアに転送するためには汎用のネットワークを別途設ける必要があった。又、ＤＩＣＯＭファイルの中に上述の画像データ以外の医用情報を含めた場合には、医用情報ビューアは、前記医用情報を表示するための専用表示ソフトウエア（表示用アプリケーション）を準備する必要があり、この専用表示ソフトウエアを、汎用ネットワークを介して医用情報ビューアに予め送付しておかなければならなかった。
【０００９】
本発明は、このような従来の問題点に鑑みてなされたものであり、その目的は、通常のＤＩＣＯＭ規格では対応していない医用情報を画像データと共にＤＩＣＯＭファイルとして医用情報ビューア側に供給し、その表示を容易に行なうことが可能な画像診断装置、医用情報サーバ、医用情報ビューア及び医用情報供給方法を提供することにある。
【課題を解決するための手段】
【００１０】
上記課題を解決するために、請求項１に係る本発明の画像診断装置は、ＤＩＣＯＭ規格でネットワークを介して医用情報ビューアと通信を行なう画像診断装置であって、被検体に対して医用画像データを生成する画像データ生成手段と、前記被検体に対して得られた医用画像データ以外の医用情報を収集する医用情報収集手段と、前記医用画像データ及び前記医用情報を表示するための表示用ソフトウエアを保存する表示ソフトウエア記憶手段と、前記医用画像データと前記医用情報と前記表示用ソフトウエアを組み込んだＤＩＣＯＭファイルを生成するＤＩＣＯＭファイル生成手段と、生成された前記ＤＩＣＯＭファイルを、ネットワークを介して前記医用情報ビューアに供給するＤＩＣＯＭファイル供給手段を備えたことを特徴としている。
【００１１】
又、請求項５に係る本発明の医用情報サーバは、ＤＩＣＯＭ規格でネットワークを介して医用情報ビューアと通信を行なう医用情報サーバであって、被検体の医用画像データを保管する画像データ保管手段と、前記被検体に対して得られた画像データ以外の医用情報を収集する医用情報収集手段と、前記医用画像データ及び前記医用情報を表示するための表示用ソフトウエアを保存する表示ソフトウエア記憶手段と、前記医用画像データと前記医用情報と前記表示用ソフトウエアを組み込んだＤＩＣＯＭファイルを生成するＤＩＣＯＭファイル生成手段と、生成された前記ＤＩＣＯＭファイルを、ネットワークを介して前記医用情報ビューアに供給するＤＩＣＯＭファイル供給手段を備えたことを特徴としている。
【００１２】
更に、請求項７に係る本発明の医用情報ビューアは、ＤＩＣＯＭ規格でネットワークを介して医用情報サーバと通信を行なう医用情報ビューアであって、被検体に対して得られた医用画像データと医用画像データ以外の医用情報と前記医用画像データ及び前記医用情報を表示するための表示ソフトウエアが組み込まれたＤＩＣＯＭファイルを前記医用情報サーバから受信する受信手段と、前記ＤＩＣＯＭファイルに対して前記医用情報又は前記表示ソフトウエアの少なくとも何れかの有無を検索する医用情報検索手段と、前記医用情報又は前記表示ソフトウエアの少なくとも何れかの存在が確認された場合には、前記表示ソフトウエアに基づいて前記医用画像データ及び前記医用情報の表示を行なう表示手段を備えたことを特徴としている。
【００１３】
一方、請求項９に係る本発明の医用情報供給方法は、ＤＩＣＯＭ規格でネットワークを介して医用情報ビューアに医用画像データと医用画像データ以外の医用情報を供給する医用情報供給方法であって、被検体に対する医用画像データ及び医用画像データ以外の医用情報を収集するステップと、前記医用画像データ及び前記医用情報と、これらのデータを表示するための表示用ソフトウエアを組み込んだＤＩＣＯＭファイルを生成するステップと、生成された前記ＤＩＣＯＭファイルを、ネットワークを介して前記医用情報ビューアに供給するステップを有することを特徴としている。
【００１４】
又、請求項１０に係る本発明の医用情報供給方法は、ネットワークを介して医用情報ビューアに医用画像データと医用画像データ以外の医用情報を供給する医用情報供給方法であって、被検体に対する画像データ及び画像データ以外の医用情報を収集するステップと、前記医用画像データ及び前記医用情報と、これらのデータを表示するための表示用ソフトウエアを組み込んだＤＩＣＯＭファイルを生成するステップと、生成された前記ＤＩＣＯＭファイルを、ネットワークを介して前記医用情報ビューアに供給するステップと、供給された前記ＤＩＣＯＭファイルに対して前記医用情報又は前記表示用ソフトウエアの少なくとも何れかの有無を検索するステップと、前記医用情報又は前記表示用ソフトウエアの少なくとも何れかの存在が確認された場合には、前記表示ソフトウエアに基づいて前記医用画像データ及び前記医用情報の表示を行なうステップを有することを特徴としている。
【発明の効果】
【００１５】
本発明によれば、表示ソフトウエアをＤＩＣＯＭファイルに組み込むことができ、この組み込んだ表示ソフトウエアにより医用情報を所定の表示フォーマットで表示することが可能となる。
【発明を実施するための最良の形態】
【００１６】
以下、図面を参照して本発明の実施例を説明する。
【実施例１】
【００１７】
（医用情報システムの構成）
第１の実施例における医用情報システムの構成につき図１を用いて説明する。図１は、医用情報システムの構成を示すブロック図であり、この医用情報システム１００は、ネットワーク４０を介して接続された画像診断装置５０と複数の画像ビューア３０−１乃至３０−Ｎを備えている。尚、本実施例では、画像診断装置５０としてＸ線診断装置を例に説明するが、Ｘ線ＣＴ装置、ＭＲＩ装置、超音波診断装置、更には内視鏡装置など、他の画像診断装置であってもよい。
【００１８】
この第1の実施例における画像診断装置５０は、被検体２０に対してＸ線を照射することによってＸ線画像データ（以下、画像データと呼ぶ）を生成する。そして、この画像データ、及びその付帯情報とから汎用ＤＩＣＯＭファイルを生成し、これらのデータをネットワーク４０を介して前記被検体２０の担当医が使用する医用情報ビューア３０（例えば、医用情報ビューア３０−１）に供給する。
【００１９】
又、画像診断装置５０は、画像データと共に他の医用情報（例えば、生体情報計測データ）を医用情報ビューア３０−１に供給する場合には、前記画像データや予め収集された生体情報計測データ、表示のための専用表示ソフトウエア及び前記付帯情報などから専用ＤＩＣＯＭファイルを生成し、ネットワーク４０を介して医用情報ビューア３０−１に供給する。
【００２０】
一方、医用情報ビューア３０−１は、画像診断装置５０から供給されたＤＩＣＯＭファイルを受信し、このＤＩＣＯＭファイルが汎用ＤＩＣＯＭファイルの場合には、既に医用情報ビューア３０−１に保存されている汎用表示ソフトウエアを用いて画像データ及び付帯情報の表示を行なう。又、供給されたＤＩＣＯＭファイルが専用ＤＩＣＯＭファイルの場合には、同時に送られてきた専用表示ソフトウエアを用いて画像データや生体情報計測データ、更には付帯情報の表示を行なう。
【００２１】
以下では、図１に示した医用情報システム１００が備える画像診断装置５０と医用情報ビューア３０−１の構成について述べる。
【００２２】
画像診断装置５０は、Ｘ線を被検体２０に対して照射するＸ線発生部１と、被検体２０を透過したＸ線を２次元的に検出すると共に、このＸ線検出データに基づいてＸ線投影データを生成するＸ線検出部２と、Ｘ線発生部１とＸ線検出部２を保持する図示しない支持アームと、被検体２０を載せる天板１３を備えている。
【００２３】
又、画像診断装置５０は、前記支持アームや天板１３などの移動を行なう図示しない機構部と、Ｘ線検出部２において生成されたＸ線投影データに対して画像処理を行ない、得られた画像データを保存する画像演算記億部３と、被検体２０の心電波形や脳波などの生体情報計測データが保存される計測データ記憶部４と、被検体２０に関する付帯情報が保存される付帯情報記憶部５と、専用表示ソフトウエアが保存されている表示用アプリケーション記憶部６を備えている。
【００２４】
更に、画像診断装置５０は、汎用ＤＩＣＯＭファイルや専用ＤＩＣＯＭファイルを生成するＤＩＣＯＭファイル生成部７と、画像データや生体情報計測データなどを必要に応じて表示する表示部８と、被検体２０の患者情報や各種コマンドを入力する入力部９を備え、ネットワーク４０を介して医用情報ビューア３０−１への医用情報の供給や生体情報計測データの収集を行なうためのネットワークインターフェース１１と、画像診断装置５０の上述の各ユニットを統括的に制御するシステム制御部１０を有している。
【００２５】
Ｘ線発生部１は、被検体２０に対しＸ線を照射するＸ線管１６と、このＸ線管１６におけるＸ線照射に必要な高電圧を発生する高電圧発生器１５と、図示しないＸ線絞り器とを備えている。Ｘ線管１６は、Ｘ線を発生する真空管であり、陰極（フィラメント）より放出された電子を高電圧によって加速させてタングステン陽極に衝突させＸ線を発生する。一方、Ｘ線絞り器は、Ｘ線管１６と被検体２０の間に位置し、Ｘ線管１６から照射されたＸ線ビームを所定の照射視野のサイズに絞り込む機能を有している。
【００２６】
又、Ｘ線検出部２は、被検体２０を透過したＸ線を電荷に変換して蓄積する平面検出器１７と、平面検出器１７に蓄積された電荷をＸ線信号として読み出すための図示しないゲートドライバと、読み出された電荷からＸ線投影データを生成する投影データ生成部１８とを備えている。そして、投影データ生成部１８は、平面検出器１７から読み出された電荷を電圧に変換する電荷・電圧変換器と、この電荷・電圧変換器の出力をデジタル信号に変換するＡ／Ｄ変換器と、平面検出器１７からパラレルに読み出されたＸ線投影データを時系列信号に変換するパラレル・シリアル変換器を有している。
【００２７】
一方、画像演算記憶部３は、画像データを生成する機能を有し、Ｘ線検出部２の投影データ生成部１８より供給されるＸ線投影データに対して演算処理を行ない画像データを生成する演算処理回路と、上記Ｘ線投影データや画像データを保存するためのデータ記憶回路を備えている。そして、演算処理回路は、投影データ生成部１８から出力されたＸ線投影データに対して、輪郭強調などの処理を行ない画像データを生成する。又、演算処理回路は、造影剤注入前後に得られた投影データ間のサブトラクションによるＤＳＡ画像データの生成や３次元画像データの生成のための演算処理機能も有している。
【００２８】
次に、計測データ記憶部４は、被検体２０に対して収集される画像データ以外の医用情報として、心電波形や脳波などの生体計測データを保存するための記憶回路を備え、この記憶回路に保存される生体情報計測データは、通常、図１に示すように生体情報計測部門からネットワーク４０、及びネットワークインターフェース１１を介して供給されるが、記憶媒体等を介して供給される場合もある。又、被検体２０に対する画像データの収集と並行して得られた生体情報計測データを前記記憶回路に保存することも可能である。
【００２９】
次に、付帯情報記憶部５には、被検体２０の画像データに関する付帯情報が記憶される。主な付帯情報として患者ＩＤ、生年月日、性別、既往歴、入院年月日などの患者情報や検査年月日、検査時刻、検査部位、検査条件、画像番号などの検査情報などがある。そして、画像診断装置５０の操作者によって入力部９から入力されたこれらの付帯情報は、システム制御部１０を介して付帯情報記憶部５に保存される。但し、前記患者情報は、ネットワーク４０に接続された図示しないＨＩＳ（病院情報システム）や他の管理データサーバから供給されてもよい。
【００３０】
表示用アプリケーション記憶部６には、生体情報計測データなど画像データ以外の医用情報が含まれている専用ＤＩＣＯＭファイルに対して起動する専用表示ソフトウエアが予め保存されている。この専用表示ソフトウエアは、画像診断装置５０の製造メーカが独自に開発したものであり、汎用のＤＩＣＯＭ規格に対応していない専用ＤＩＣＯＭファイルに納められた画像データと画像データ以外の医用情報（ここでは生体情報計測データ）の表示を可能にする。
【００３１】
そして、ＤＩＣＯＭファイル生成部７は、画像演算記億部３に保存されている画像データと付帯情報記憶部５に保存されている付帯情報とから汎用ＤＩＣＯＭファイルを生成する。又、上述の画像データと付帯情報の他に計測データ記憶部４に保存されている被検体２０の生体情報計測データや表示用アプリケーション記憶部６に保存されている専用表示ソフトウエアを組み込んだ専用ＤＩＣＯＭファイルの生成を行なう。
【００３２】
図２に、ＤＩＣＯＭファイル生成部７によって生成される専用ＤＩＣＯＭファイルの概略を示す。この専用ＤＩＣＯＭファイル８８は、従来の汎用ＤＩＣＯＭファイルと同様にＤＩＣＯＭファイルメタ情報８９−１とＤＩＣＯＭデータ集合８９−２から構成され、ＤＩＣＯＭデータ集合８９−２は、複数のデータ要素９０（例えば、データ要素９０−１乃至９０−１２）から構成されている。更に、各データ要素は識別記号が入力される「Ｔａｇ」領域９１−１、文字列を指定する「ＶＲ（Value・Representation）」領域９１−２、データ長が入力される「Value・Length」領域９１−３、そして、付帯情報や画像データ、更には生体情報計測データが保存される「Value・Field」領域９１−４が設けられている。
【００３３】
次に、ＤＩＣＯＭデータ集合８９−２のデータ要素９０−１乃至９０−１２の各領域に保存されるデータの具体例を図３の一覧表において示す。この具体例は、“１９７０年1月1日生まれの「Toshiba-Taro」（Ｍ：男）が、２００３年７月２３日に来院。同日１１時２３分３０秒の検査で得られたＥＣＧデータ（心電波形）と、１１時４０分１５秒に撮影した画像データを組み込んだ専用ＤＩＣＯＭファイルを生成した場合を示している。そして、例えば、「患者氏名」、「患者生年月日」、「患者性別」（以上、患者情報）や、「検査日」「検査時刻」「画像撮影日」「画像撮影時刻」（以上、検査情報）の付帯情報の他に、「画像データ」や「ＥＣＧデータ」更には「Viewerデータ（専用表示ソフトウエア）」がデータ要素として組み込まれている。
【００３４】
又、データ要素９０−１乃至９０−１２のうち、Ｔａｇ番号が「７０７９ＸＸＸＸ」番台の「ＥＣＧデータ」、「ベンダー独自の情報１」、「ベンダー独自の情報２」、及び「Viewerデータ」は通常のＤＩＣＯＭ規格に対応していないデータ要素であり、これらのデータ要素を含んだＤＩＣＯＭファイルを本実施例の説明では専用ＤＩＣＯＭファイルと呼び、画像データのみを対象とした汎用ＤＩＣＯＭファイルと区別して取り扱う。尚、図３における「Ｔａｇ」や「ＶＲ」の定義は従来の汎用ＤＩＣＯＭファイルの場合と同様であるため説明を省略する。
【００３５】
表示部８は、画像演算記憶部３のデータ記憶回路に保存されている画像データ、及び計測データ記憶部４に保存されている生体情報計測データの中から所望のデータを選択して汎用ＤＩＣＯＭファイルあるいは専用ＤＩＣＯＭファイルを生成する際に、これらのデータの表示を行なうためのものであり、選択された画像データ、あるいは生体情報計測データに対してＤ／Ａ変換とＴＶフォーマット変換を行なって映像信号を生成する変換回路と、この映像信号を表示する液晶、あるいはＣＲＴのモニタを備えている。
【００３６】
入力部９は、キーボード、トラックボール、ジョイスティック、マウスなどの入力デバイスや表示パネル、あるいは各種スイッチ等を備えたインターラクティブなインターフェイスであり、患者情報や検査情報の入力、撮影開始やＤＩＣＯＭファイルの生成及び転送を行なうためのコマンド信号の入力、更には、検査対象臓器に対するＸ線照射条件などの各種撮影条件の設定を行なう。尚、Ｘ線照射条件としてＸ線管１６に印加する管電圧、管電流、Ｘ線照射時間などがある。又、患者情報として患者ＩＤ，患者名、年齢、性別、体格、過去の診断履歴、入院月日などがあり、検査情報として検査部位、検査方法、検査月日などがある。
【００３７】
そして、システム制御部１０は、図示しないＣＰＵと記憶回路を備え、操作者によって入力部９から入力されるコマンド信号や患者情報及び検査情報などを一旦記憶した後、これらの情報に基づいて画像データの生成や汎用ＤＩＣＯＭファイルあるいは専用ＤＩＣＯＭファイルの生成と医用情報ビューア３０−１への送付を行なうために画像診断装置５０全体の制御を行なう。
【００３８】
一方、ネットワーク４０を介して、上述の画像診断装置５０と接続される医用情報ビューア３０−１は、記憶部３１と、表示部３２と、入力部３３と、制御部３５を備え、更に、画像診断装置５０からネットワーク４０を介してＤＩＣＯＭファイルを受信するためのネットワークインターフェース３４を有している。
【００３９】
又、記憶部３１は、画像診断装置５０から供給される当該被検体２０に関する汎用ＤＩＣＯＭファイルあるいは専用ＤＩＣＯＭファイルを保存するＤＩＣＯＭファイル記憶領域と、ＤＩＣＯＭ規格の汎用表示ソフトウエアが予め保存されている表示用アプリケーション記憶領域を備えている。
【００４０】
次に、表示部３２は、図示しない表示データ生成回路と変換回路とモニタを備え、ＤＩＣＯＭファイルに組み込まれている画像データ、あるいは生体情報計測データと付帯情報は表示データ生成回路において所定の表示フォーマットで合成され、更に変換回路においてＤ／Ａ変換とテレビフォーマット変換が行われた後、ＣＲＴあるいは液晶などのモニタに表示される。この場合、汎用ＤＩＣＯＭファイルの画像データは汎用表示ソフトウエアに基づいて、又、専用ＤＩＣＯＭファイルの画像データ及び生体情報計測データは専用表示ソフトウエアに基づいて所定のフォーマットで表示される。
【００４１】
入力部３３は、キーボードやマウスなどの入力デバイスや表示パネル、各種選択ボタン等を備え、この入力部３３において、医用情報ビューア３０−１のユーザは、記憶部３１に保存されている複数患者に関するＤＩＣＯＭファイルから当該被検体２０のＤＩＣＯＭファイルの選択を行なうと共に、選択したＤＩＣＯＭファイルに組み込まれている画像データや生体情報計測データを表示部３２へ表示するためのコマンド信号を入力する。
【００４２】
そして、制御部３５は、ＣＰＵと記憶回路を備え、医用情報ビューア３０−１の各ユニットを統括的に制御する。特に制御部３５は、入力部３３から受信した選択信号に基づいて当該被検体２０のＤＩＣＯＭファイルを読み出し、このＤＩＣＯＭファイルにおける専用表示ソフトウエアの有無を「Ｔａｇ」番号に基づいて検索する。そして専用表示ソフトウエアが包含されている場合（即ち、上記ＤＩＣＯＭファイルが専用ＤＩＣＯＭファイルである場合）、この専用表示ソフトウエアを、この専用ＤＩＣＯＭファイルに組み込まれている画像データや生体情報計測データ、更には付帯情報と共に表示部３２の表示データ生成回路に供給する。
【００４３】
一方、読み出されたＤＩＣＯＭファイルに専用表示ソフトウエアが包含されていない場合（即ち、上記ＤＩＣＯＭファイルが汎用ＤＩＣＯＭファイルである場合）、記憶部３１に予め保存されている汎用表示ソフトウエアを、画像データ及び付帯情報と共に表示部３２の表示データ生成回路に供給する。
【００４４】
尚、上述の説明では、専用表示ソフトウエアの有無を検出することによって汎用ＤＩＣＯＭファイルと専用ＤＩＣＯＭファイルの識別を行なったが、生体情報計測データの有無を、その「Ｔａｇ」番号に基づいて検出することによって上記識別を行なってもよい。
【００４５】
（医用情報の供給手順）
次に、画像診断装置５０によって収集された画像データ、あるいは画像データと生体情報計測データをＤＩＣＯＭファイルとして、医用情報ビューア３０−１に供給する手順につき図１、図４及び図５を用いて説明する。尚、図４は、本実施例における上記手順を示すフローチャートである。
【００４６】
（画像データの生成）
画像診断装置５０による画像データの生成に先立って、操作者によって入力部９より患者ＩＤ（患者氏名）などの患者情報やＸ線撮影における画像撮影日などの検査情報を入力し、更には、被検体２０に対するＸ線照射条件を設定する。そして、これらの情報は、付帯情報として付帯情報記憶部５に保存される（図４のステップＳ１）。
【００４７】
一方、入力部９より患者情報を受信したシステム制御部１０は、ネットワーク４０に接続された生体情報計測部門の図示しない計測データサーバに対して、既に収集された当該被検体２０に関する生体情報計測データ（例えば、心電波形）の供給を要求する。そして、この要求信号に基づいて上記計測データサーバが出力した所望の生体情報計測データを、ネットワーク４０及びネットワークインターフェース１１を介して受信して計測データ記憶部４に保存する（図４のステップＳ２）。
【００４８】
次いで、操作者によって入力部９より入力されたＸ線撮影開始コマンドに従ってＸ線撮影と画像データの生成が開始される。即ち、Ｘ線発生部１の高電圧発生器１５は、システム制御部１０より撮影開始コマンドを受け、既に設定されているＸ線照射条件に基づいて高電圧をＸ線管１６に印加して被検体２０にＸ線を照射する。そして、被検体２０を透過したＸ線は、被検体２０の後方に設けられたＸ線検出部２の平面検出器１７によって検出される。
【００４９】
平面検出器１７は、Ｘ線の照射方向に対して略垂直な面上に２次元配列された検出素子を有し、この検出素子の各々に照射されたＸ線量に応じて発生した電荷は、図示しないゲートドライバの出力パルスによって順次読み出される。次いで、読み出された電荷は投影データ生成部１８に供給され、投影データ生成部１８において電荷・電圧変換、Ａ／Ｄ変換、更にはパラレル・シリアル変換が行なわれて生成されたＸ線投影データは、画像演算記憶部３のデータ記憶回路に保存される（図４のステップＳ３）。
【００５０】
（ＤＩＣＯＭファイルの生成と送付）
Ｘ線撮影による画像データの生成が終了したならば、操作者は、入力部９より専用ＤＩＣＯＭファイルを生成するためのコマンドを入力し、このコマンド信号を受信したシステム制御部１０は、ＤＩＣＯＭファイル生成部７に対して専用ＤＩＣＯＭファイルを生成するための制御信号を供給する。
【００５１】
そして、この制御信号を受信したＤＩＣＯＭファイル生成部７は、画像演算記憶部３のデータ記憶回路に保存されている画像データと、計測データ記憶部４に保存されている生体情報計測データと、付帯情報記憶部５に保存されている付帯情報と、表示用アプリケーション記憶部６に保存されている専用表示ソフトウエアを夫々読み出し、例えば、既に図２及び図３に示した専用ＤＩＣＯＭファイルを生成する（図４のステップＳ４）。
【００５２】
次いで、専用ＤＩＣＯＭファイルの生成が終了したことを入力部９の表示パネル等によって確認した操作者は、入力部９の入力デバイスを用いて前記ＤＩＣＯＭファイルの送付先（即ち、当該被検体２０の担当医が有する医用情報ビューア３０−１）を設定した後、送付コマンドを入力する。そして、このコマンド信号を受信したシステム制御部１０は、ＤＩＣＯＭファイル生成部７において生成された当該被検体２０の専用ＤＩＣＯＭファイルをネットワークインターフェース１１、ネットワーク４０、及びネットワークインターフェース３４を介して医用情報ビューア３０−１の記憶部３１に保存する（図４のステップＳ５）。
【００５３】
一方、画像データと付帯情報とから構成される汎用ＤＩＣＯＭファイルの生成を行なう場合には、操作者は、入力部９より汎用ＤＩＣＯＭファイルを生成するためのコマンドを入力し、このコマンド信号を受信したシステム制御部１０は、ＤＩＣＯＭファイル生成部７に対して汎用ＤＩＣＯＭファイルを生成するための制御信号を供給する。
【００５４】
そして、ＤＩＣＯＭファイル生成部７は、この制御信号に基づいて画像演算記憶部３に保存されている画像データと付帯情報記憶部５に保存されている付帯情報を読み出し、汎用ＤＩＣＯＭファイルを生成する（図４のステップＳ４）。
【００５５】
次いで、操作者は、上述の専用ＤＩＣＯＭファイルの場合と同様にして、入力部９にて送付先の医用情報ビューア３０−１を設定した後、送付コマンドを入力する。そして、このコマンド信号を受信したシステム制御部１０は、当該被検体２０の汎用ＤＩＣＯＭファイルをネットワークインターフェース１１及びネットワーク４０を介して医用情報ビューア３０−１の記憶部３１に保存する（図４のステップＳ５）。
【００５６】
（ＤＩＣＯＭファイルの読み出しと表示）
一方、医用情報ビューア３０−１の担当医（ユーザ）は、記憶部３１に保存されている複数被検体に関するＤＩＣＯＭファイルのリストを入力部３３の表示パネルに表示し、これら複数のＤＩＣＯＭファイルの中から当該被検体２０に関するＤＩＣＯＭファイルを検索する。そして検索されたＤＩＣＯＭファイルに含まれている医用情報の表示コマンドを入力部３３より入力する。
【００５７】
上記表示コマンドを受信した制御部３５は、当該被検者に関するＤＩＣＯＭファイルの構成を分析し（図４のステップＳ６）、専用表示ソフトウエアのデータ要素領域あるいは生体情報計測データのデータ要素領域の存在（即ち、上記ＤＩＣＯＭファイルは専用ＤＩＣＯＭファイル）を認識したならば、専用表示ソフトウエア及び生体情報計測データを画像データや付帯情報と共に表示部３２の表示データ生成回路に供給する。
【００５８】
次に、表示部３２の表示データ生成部は、先ず、専用表示ソフトウエアを起動して表示用のフォーマットを設定し、次いで、画像データ、生体情報計測データ、及び付帯情報を読みだし、前記表示フォーマットに従ってこれらのデータの合成を行なう。そして、生成された表示データは、表示部３２の変換回路にてＡ／Ｄ変換とＴＶフォーマット変換が行なわれた後、表示部３２のモニタに表示される（図４のステップＳ７）。
【００５９】
一方、当該被検体２０のＤＩＣＯＭファイルに専用表示ソフトウエアのデータ要素領域、あるいは生体情報計測データのデータ要素領域が存在しない（即ち、上記ＤＩＣＯＭファイルは汎用ＤＩＣＯＭファイル）場合には、このＤＩＣＯＭファイルから読み出された画像データ及び付帯情報と記憶部３１に予め保存されている汎用表示ソフトウエアを表示部３２の表示データ生成回路に供給する。
【００６０】
そして、表示部３２の表示データ生成部は、汎用表示ソフトウエアを起動して表示用のフォーマットを設定し、次いで、画像データと付帯情報を読みだし、汎用表示フォーマットに従ってこれらのデータの合成を行なう。そして、生成された表示データを表示部３２のモニタに表示する（図４のステップＳ８）。
【００６１】
図５は医用情報ビューア３０−１の表示部３２に表示される医用情報について示したものであり、表示部３２のモニタ上には画像データ表示領域９５と生体情報計測データ表示領域９６と患者情報や検査情報などを表示する付帯情報表示領域９７が設定され、更に、画像のサイズやフレームレート（毎秒表示される画像枚数）などを変更するための表示条件設定領域９８が設けられている。
【００６２】
以上述べた本実施例によれば、専用表示ソフトウエアを組み込んだ専用ＤＩＣＯＭファイルを生成することにより、従来、困難とされてきたＤＩＣＯＭ規格外の医用情報を、ＤＩＣＯＭネットワークを介して医用情報ビューアに供給し、画像診断装置が設定した所定の表示フォーマットで表示することが可能となる。このため、画像データのみならず、画像データ以外の医用情報をも参照して診断を行なうことが容易となるため診断精度が向上する。
【００６３】
更に、従来の汎用ＤＩＣＯＭファイルと専用ＤＩＣＯＭファイルの認識と、夫々に対応した表示ソフトウエアの選択は自動的に実行されるため、医用情報ビューアのユーザはＤＩＣＯＭファイルの種類に左右されること無く医用情報の表示を行なうことが可能となり、効率のよい診断を行なうことが可能となる。
【実施例２】
【００６４】
次に、本発明の第２の実施例につき図６を用いて説明する。この実施例と第１の実施例との差異は、ＤＩＣＯＭファイルを供給する医用情報サーバが画像診断装置に対して独立に設けられていることにある。尚、図６に示した本実施例のブロック図において、図１の第1の実施例と同様な機能を有するユニットは、同一番号で示し、その詳細な説明を省略する。
【００６５】
（医用情報システムの構成）
図６に示した医用情報システム２００は、ネットワーク４０を介して接続された医用情報サーバ６０と複数の画像ビューア３０−１乃至３０−Ｎを備えている。
【００６６】
この第２の実施例における医用情報サーバ６０は、ネットワーク４０を介して接続された医用情報ビューア３０−１に対して画像データを供給する場合には汎用ＤＩＣＯＭファイルを生成し、又、画像データと共に他の医用情報（例えば、生体情報計測データ）を供給する場合には専用ＤＩＣＯＭファイルを生成する。
【００６７】
一方、医用情報ビューア３０−１は、第１の実施例と同様に、医用情報サーバ６０から供給されたＤＩＣＯＭファイルが汎用ＤＩＣＯＭファイルの場合には、既に医用情報ビューア３０−１に保存されている汎用表示ソフトウエアを用いて画像データの表示を行ない、専用ＤＩＣＯＭファイルが供給された場合には、前記専用表示ソフトウエアを用いて画像データや生体情報計測データの表示を行なう。
【００６８】
図６の医用情報システム２００における医用情報サーバ６０は、画像診断装置５５によって生成された画像データが保存される画像データ記憶部２１と、被検体２０の生体情報計測データが保存される計測データ記憶部４と、被検体２０に関する付帯情報が保存される付帯情報記憶部５と、専用表示ソフトウエアが保存されている表示用アプリケーション記憶部６を備えている。
【００６９】
更に、医用情報サーバ６０は、汎用ＤＩＣＯＭファイルや専用ＤＩＣＯＭファイルを生成するＤＩＣＯＭファイル生成部７と、画像データ記憶部２１に記憶された画像データや計測データ記憶部４に保存された生体情報計測データなどを表示する表示部８と、被検体２０の患者情報や各種コマンドを入力する入力部２２と、ネットワークインターフェース１１と、医用情報サーバ６０の上述の各ユニットを統括的に制御する制御部２３を有している。
【００７０】
入力部２２には、キーボーやマウスなどの入力デバイスや表示パネル等が設けられ、患者情報や検査情報の入力やＤＩＣＯＭファイルの生成及び送付を行なうためのコマンド信号の入力が行なわれる。そして、患者情報と検査情報は付帯情報として制御部２３を介して付帯情報記憶部５に保存される。尚、上記患者情報及び検査情報は、画像診断装置５５より供給されてもよく、又、患者情報は、ネットワーク４０に接続された図示しないＨＩＳより供給されてもよい。
【００７１】
一方、制御部２３は、図示しないＣＰＵと記憶回路を備え、入力部２２から入力されたコマンド信号を一旦記憶した後、これらのコマンド信号に基づいて汎用ＤＩＣＯＭファイル、あるいは専用ＤＩＣＯＭファイルの生成と送付を行なうために医用情報サーバ６０の各ユニットを統括的に制御する。
【００７２】
一方、ネットワーク４０ネットワーク４０を介して、上述の医用情報サーバ６０と接続される医用情報ビューア３０−１は、第１の実施例と同様に記憶部３１と、表示部３２と、入力部３３と、制御部３５と、ネットワークインターフェース３４を備えている。
【００７３】
（ＤＩＣＯＭファイルの生成と送付）
画像診断装置５５から被検体２０の画像データが供給されたならば、制御部２３は、ネットワーク４０に接続された生体情報計測部門の図示しない計測データサーバに対して、既に収集された被検体２０に関する生体情報計測データの供給を要求する。そして、この要求信号に基づいて上記計測データサーバが出力した所望の生体情報計測データを、ネットワーク４０及びネットワークインターフェース１１を介して受信し計測データ記憶部４に保存する。
【００７４】
次に、操作者によって入力部２２より専用ＤＩＣＯＭファイルを生成するためのコマンドが入力された場合には、このコマンド信号を受信した制御部２３は、ＤＩＣＯＭファイル生成部７に対して専用ＤＩＣＯＭファイルを生成するための制御信号を供給する。
【００７５】
そして、この制御信号を受信したＤＩＣＯＭファイル生成部７は、画像データ記憶部２１のデータ記憶回路に保存されている画像データと、計測データ記憶部４に保存されている生体情報計測データと、付帯情報記憶部５に保存されている付帯情報と、表示用アプリケーション記憶部６に保存されている専用表示ソフトウエアを夫々読み出し、専用ＤＩＣＯＭファイルを生成する。
【００７６】
次いで、操作者は、入力部２２にて専用ＤＩＣＯＭファイルの送付先（医用情報ビューア３０−１）の設定と、送信コマンドを入力する。このコマンド信号を受信した制御部２３は、ＤＩＣＯＭファイル生成部７において生成された前記ＤＩＣＯＭファイルを医用情報ビューア３０−１の記憶部３１に保存する。
【００７７】
一方、操作者によって入力部２２より汎用ＤＩＣＯＭファイルを生成するためのコマンドが入力された場合には、このコマンド信号を受信した制御部２３は、ＤＩＣＯＭファイル生成部７に対して汎用ＤＩＣＯＭファイルを生成するための制御信号を供給する。そして、ＤＩＣＯＭファイル生成部７は、この制御信号に基づいて画像データ記憶部２１に保存されている画像データと付帯情報記憶部５に保存されている付帯情報を読み出し、汎用ＤＩＣＯＭファイルを生成する。次いで、上述の専用ＤＩＣＯＭファイルの場合と同様の手順により、生成された汎用ＤＩＣＯＭファイルは、医用情報ビューア３０−１の記憶部３１に保存される。
【００７８】
尚、医用情報ビューア３０−１における専用ＤＩＣＯＭファイル及び汎用ＤＩＣＯＭファイルからのデータ読み出しと表示の手順は第１の実施例と同様であるため説明は省略する。
【００７９】
以上述べた本実施例によれば、第１の実施例と同様にして、ＤＩＣＯＭ規格外の医用情報を、ＤＩＣＯＭネットワークを介して医用情報ビューアに供給し、医用情報サーバが設定した所定の表示フォーマットで表示することが可能となる。更に、本実施例における医用情報サーバは、画像診断装置５５と独立して設けられているため複数の医用画像データに対して対応が可能となる。
【００８０】
以上、本発明の実施例について述べてきたが、本発明は上記の実施例に限定されるものでは無く、変形して実施することが可能である。例えば、上述の実施例では、画像診断装置あるいは医用情報サーバは、医用情報ビューアの記憶回路に対して予め当該被検体の医用情報を供給しておき、医用情報ビューアは、必要に応じて保存されている前記医用情報を読み出して表示する場合について述べたが、医用情報ビューアからの要求に応じて、画像診断装置あるいは医用情報サーバから医用情報ビューアに対してＤＩＣＯＭファイルを供給してもよい。
【００８１】
又、上述の実施例では、画像データの収集前に生体情報計測データの収集を行なう場合について述べたが、画像データの収集を先行させても構わない。
【００８２】
更に、上述の画像データは、Ｘ線画像データに限定されるものではなく、他の画像データであってもよい。同様にして、画像データ以外の医用情報は、上述の生体情報計測データに限定されない。
【００８３】
又、上記実施例では医用情報の供給元を医用情報サーバ、供給先を医用情報ビューアとしたが、医用ワークステーションやＨＩＳなどの端末装置が用いられてもよい。
【図面の簡単な説明】
【００８４】
【図１】本発明の第１の実施例における医用情報システムの構成を示すブロック図。
【図２】同実施例における専用ＤＩＣＯＭファイルの構成を示す図。
【図３】同実施例における専用ＤＩＣＯＭファイルの内容を示した一覧表。
【図４】同実施例における医用情報の供給手順を示すフローチャート。
【図５】同実施例における医用情報の表示方法の具体例を示す図。
【図６】本発明の第２の実施例における医用情報システムの構成を示すブロック図。
【符号の説明】
【００８５】
１…Ｘ線発生部
２…Ｘ線検出部
３…画像演算記憶部
４…計測データ記憶部
５…付帯情報記憶部
６…表示用アプリケーション記憶部
７…ＤＩＣＯＭファイル生成部
８…表示部
９…入力部
１０…システム制御部
１１…ネットワークインターフェース
１５…高電圧発生器
１６…Ｘ線管
１７…平面検出器
１８…投影データ生成部
３０…医用情報ビューア
３１…記憶部
３２…表示部
３３…入力部
３４…ネットワークインターフェース
３５…制御部
４０…ネットワーク
５０…画像診断装置
１００…医用情報システム
【図１】
2005081083.tif 000003
【図２】
2005081083.tif 000004
【図３】
2005081083.tif 000005
【図４】
2005081083.tif 000006
【図５】
2005081083.tif 000007
【図６】
2005081083.tif 000008